(57)【要約】      （修正有）【課題】ＣＤの収納バッグとして優れた収納性を有するのみならず、持ち運び中に衝撃を受けた場合でも、ＣＤが破損したりする恐れのない、また装飾的効果の優れたディスクキャリアバッグを提供する。【解決手段】上面ケースと下面ケースをファスナーで開閉し、上面ケースと下面ケースを一体としたディスクキアリアバッグにおいて、上面ケースの上部には弾力性に富む人形または動物の形状のぬいぐるみを有し、さらに上面ケースおよび下面ケースを開いたとき、両面にディスクを収納する袋をそれぞれに有し、かつ袋を上面ケースと下面ケースの中央部で固定しているディスクキャリアバッグ。【選択図】図２
2005104509.tif 000002
【特許請求の範囲】
【請求項１】
上面ケースと下面ケースをファスナーで開閉し、前記上面ケースと下面ケースを一体としたディスクキアリアバッグにおいて、前記上面ケースの上部には弾力性に富む人形または動物の形状のぬいぐるみを有し、さらに上面ケースおよび下面ケースを開いたとき、両面にディスクを収納する袋をそれぞれに有し、かつ前記袋を上面ケースと下面ケースの中央部で固定しているディスクキャリアバッグ。
【請求項２】
ディスクを収納する袋の裏面に硬質樹脂シートを設け、その中央部において両者を固定し、前記シートを上面ケースと下面ケースに設けられた開口部から挿入した、請求項１記載のディスクキャリアバッグ。
【請求項３】
ディスクを収納する袋が、上面ケースおよび下面ケースにおいてそれぞれ複数枚設けられている請求項１または２記載のディスクキャリアバッグ。
【請求項４】
上面ケースと下面ケースの中央部の外側に、極細繊維からなり、かつ底面が平坦な拭き取り部を有する請求項１〜３のいずれかに記載のディスクキャリアバッグ。
【請求項５】
上面ケースの人形または動物の形状のぬいぐるみは頭部である請求項１〜４のいずれかに記載のディスクキャリアバッグ。
【請求項６】
上面ケースの人形または動物の形状のぬいぐるみは頭部であり、拭き取り部は胴部である請求項４記載のディスクキャリアバッグ。
【発明の詳細な説明】
【技術分野】
【０００１】
本発明は、ディスクキャリアバッグに関する。
【背景技術】
【０００２】
従来、ディスクキャリアバッグとしては、特許文献１に示されるものが知られている。
【０００３】
【特許文献１】特開平１１−３２１９５９号公報（特許請求の範囲、図１〜４）
【発明の開示】
【発明が解決しようとする課題】
【０００４】
上記のようなディスクキャリアバッグは、収納性は優れているが、持ち運び中に衝撃を受けた場合、ディスク（ＣＤ）が破損したりする恐れがあるし、また装飾的効果も乏しいため、洒落たバッグとして使用することはできない。
本発明は、これらの欠点を解消するためになされたものであり、ＣＤの収納バッグとして優れた収納性を有するのみならず、持ち運び中に衝撃を受けた場合でも、ＣＤが破損したりする恐れはないし、また装飾的効果を有しているため、洒落たバッグとして使用することができるディスクキャリアバッグを提供することを目的とする。
【課題を解決するための手段】
【０００５】
上記目的は、上面ケースと下面ケースをファスナーで開閉し、前記上面ケースと下面ケースを一体としたディスクキアリアバッグにおいて、前記上面ケースの上部には弾力性に富む人形または動物の形状のぬいぐるみを有し、さらに上面ケースおよび下面ケースを開いたとき、両面にディスクを収納する袋をそれぞれに有し、かつ前記袋を上面ケースと下面ケースの中央部で固定しているディスクキャリアバッグを提供することによってより好適に達成される。
また、上記目的は、ディスクを収納する袋の裏面に硬質樹脂シートを設け、その中央部において両者を固定し、前記シートを上面ケースと下面ケースに設けられた開口部から挿入した、上記ディスクキャリアバッグを提供することによってより好適に達成される。
【０００６】
また、上記目的は、ディスクを収納する袋が、上面ケースおよび下面ケースにおいてそれぞれ複数枚設けられている上記ディスクキャリアバッグを提供することによってより好適に達成される。
また、上記目的は、上面ケースと下面ケースの中央部の外側に、極細繊維からなり、かつ底面が平坦な拭き取り部を有する上記ディスクキャリアバッグを提供することによってより好適に達成される。
【０００７】
また、上記目的は、上面ケースの人形または動物の形状のぬいぐるみは頭部である上記ディスクキャリアバッグを提供することによってより好適に達成される。
また、上記目的は、上面ケースの人形または動物の形状のぬいぐるみは頭部であり、拭き取り部は胴部である上記ディスクキャリアバッグを提供することによってより好適に達成される。
【発明の効果】
【０００８】
本発明によれば、ＣＤの収納バッグとして優れた収納性を有するのみならず、持ち運び中に衝撃を受けた場合でも、ＣＤが破損したりする恐れはないし、また装飾的効果を有しているため、洒落たディスクキャリアバッグとして使用することができる。
【発明を実施するための最良の形態】
【０００９】
本発明を図面により説明する。
図１は、本発明のディスクキャリアバッグの正面図であり、図中、１は上面ケースの上部の人形または動物の形状のぬいぐるみ、２は上面ケースと下面ケースを開閉するためのファスナー（チャックまたは面ファスナーなど）であり、３は下面ケースの外側であり、４はぬいぐるみの耳部である。
図２は、本発明のディスクキャリアバッグの側面図であり、図中、６は底面に拭き取り部５を有するぬいぐるみの胴体であり、２５はファスナーの取っ手である。
図３は、本発明のディスクキャリアバッグの底面図であり、図中、７は取っ手のひもである。
【００１０】
図４は、上面ケースおよび下面ケースのファスナーを開いた状態の正面図であり、図中、８は上面ケースのＣＤの収納袋であり、９は下面ケースのＣＤの収納袋である。ＣＤの収納袋８、９は、シート１２、１３の片面または両面に、片端に開口部１８、１９を有するように、シート１０、１１を張ってシールして、形成されている。シート１２、１３の片面にのみシート１０、１１を張ってシールする場合は、それぞれに１個のＣＤが収納でき、両面にシート１０、１１を張ってシールする場合は、それぞれ２個のディスクが収納できる。ＣＤの収納袋８、９はそれぞれ１枚でも良いが、複数枚重ねて設ければＣＤを多数枚収納して持ち運ぶことができるので好適である。シートとしては、織布、不織布、フイルムなどが使用できる。収納袋８、９は上面ケース１６と下面ケース１７の中央部で止め具１４および１５によって固定されている。
【００１１】
図５は、図４において収納袋８を中央部で折り曲げて収納袋９に重ねた状態の正面図であり、図中、２０、２１は硬質の樹脂シート２２、２３を挿入するための開口部であり、硬質の樹脂シート２２、２３は収納袋８、９の中央部において止め具１４、１５で固定されており、硬質の樹脂シート２２、２３を開口部２０、２１から挿入することにより、収納袋８，９を上面ケースと下面ケースの中央部に固定できる、さらにまた、硬質樹脂シートを開口部２０、２１に挿入することにより、ＣＤを外部からの衝撃から保護することができる。硬質の樹脂シートとしては、ポリオレフイン（ポリエチレン、ポリプロピレンなど）、ポリエステル、ポリアミド、ポリ塩化ビニルなどが挙げられる。
また、上面ケース１６には、周辺にファスナー２４を設けることにより、小物入れとすることができる。
上面ケースおよび下面ケースの基材としては織布が好適であるが、編物、樹脂フイルムまたはシートとすることもできる。なお、図５〜６中、２６はファスナー２の取っ手であり、２７は小物入れファスナー２４の取っ手である。
【００１２】
本発明において、上面ケースの上部の弾力に富む人形または動物の形状のぬいぐるみ１は、収納されたＣＤを外部からの衝撃に対して保護する。ぬいぐるみの内部には詰め物を充填することが、収納されたＣＤの保護をより良好にすることから好適である。
ぬいぐるみとしては、人形または動物の形状のぬいぐるみが使用できるが、動物のぬいぐるみが、洒落た感じで、装飾的効果があるので好適である。ここで、動物としては、犬、猫、熊、ライオン、トラ、パンダ、コアラなどの四足動物が例示される。ぬいぐるみの基材としては、表面が立毛織物状の基材などが好適に使用される。
【００１３】
ぬいぐるみの内部に充填する詰め物としては、樹脂発泡体、綿、ポリエステル綿などが好適である。詰め物はぬいぐるみの内部全体に亘って充填することが、ディスクをより好適に保護でき、また動物などの形を美しく保つことができ、装飾的効果の点からも好適である。
【００１４】
本発明において、胴部６の拭き取り部５は、極細繊維で構成されていることが好適である。極細繊維としては、２種またはそれ以上の重合体からなる多層型の複合繊維を起毛またはサンディングなどの機械的手段によって処理して得られる分割型繊維、または２種またはそれ以上の重合体からなる海島型の複合繊維から海成分を除去して得られる海島繊維などが好適なものとして挙げられる。胴部６の基材としては、表面が立毛織物状の基材などが好適に使用される。
【産業上の利用可能性】
【００１５】
本発明のディスクキャリアバッグは、ＣＤの収納バッグとして優れた機能性を有するのみならず、持ち運び中に衝撃を受けた場合でも、ＣＤが破損したりする恐れはないし、また装飾的効果を有しているため、洒落たバッグとして有用である。
【図面の簡単な説明】
【００１６】
【図１】本発明のディスクキャリアバッグの正面図である。
【図２】本発明のディスクキャリアバッグの側面図である。
【図３】本発明のディスクキャリアバッグの底面図である。
【図４】本発明のディスクキャリアバッグを開いた状態の正面図である。
【図５】本発明のディスクキャリアバッグを開き、さらに収納袋を折り曲げた状態の正面図である。
【符号の説明】
【００１７】
１          ぬいぐるみ
２          ファスナー
３          下面ケースの外側
４          ぬいぐるみの耳部
５          拭き取り部
６          胴部
７          ひも
８、９      収納袋
１０、１１  シート（フイルム）
１２、１３  シート（不織布）
１４、１５  止め具
１６、１７  上面ケース、下面ケース
１８、１９  収納袋の開口部
２０、２１  硬質シートの挿入開口部
２２、２３  硬質シート
２４        小物入れ用ファスナー
２５、２６、２７  ファスナーの取っ手
【図１】
2005104509.tif 000003
【図２】
2005104509.tif 000004
【図３】
2005104509.tif 000005
【図４】
2005104509.tif 000006
【図５】
2005104509.tif 000007